(57)【要約】【課題】半導体製造装置の製造工程で、静電気等による不良を生じさせずに洗浄乾燥処理する装置を備えた半導体製造装置を提供することを課題とする。【解決手段】洗浄乾燥装置に、シースに内包されたイオナイザーを設けることを特徴の一つとしている。イオナイザーをシースで覆う構成とするため、イオナイザーに液体が付着することによる漏電のおそれなく稼働させることができる。そして、洗浄乾燥処理工程で生じる静電気も除電することができる。【選択図】図１
2006287214.tif 000002
【特許請求の範囲】
【請求項１】
円柱状のチャンバーと、
前記チャンバー内に回転可能に設けられたキャリア載置体と、
前記キャリア載置体に設けられたキャリア固定治具と、
前記チャンバー外であって、前記チャンバーに近接して設けられたイオナイザーと、
前記チャンバーの外側側面に接し、且つ前記イオナイザーを内包するように設けられたシースと、
前記チャンバーの側面の、前記チャンバーと前記シースが接する部分に形成された開口部と、
を有することを特徴とする洗浄乾燥装置。
【請求項２】
円柱状のチャンバーと、
前記チャンバー内に回転可能に設けられたキャリア載置体と、
前記キャリア載置体に設けられたキャリア固定治具と、
前記チャンバー外であって、前記チャンバーに近接して設けられたイオナイザーと、
前記チャンバー上部の外側側面に接し、且つ前記イオナイザーを内包するように設けられたシースと、
前記チャンバーの側面の、前記チャンバーと前記シースが接する部分に形成された開口部と、を有し、
前記イオナイザーは前記開口部に対して前記キャリア載置体の回転方向と反対の位置に設けられていることを特徴とする洗浄乾燥装置。
【請求項３】
円柱状のチャンバーと、
前記チャンバー内に回転可能に設けられたキャリア載置体と、
前記キャリア載置体に設けられた可動であるキャリア固定治具と、
前記チャンバー外であって、前記チャンバーに近接して設けられたイオナイザーと、
前記チャンバーの外側側面に接し、且つ前記イオナイザーを内包するように設けられたシースと、
前記チャンバーの側面の、前記チャンバーと前記シースが接する部分に形成された開口部と、
を有することを特徴とする洗浄乾燥装置。
【請求項４】
円柱状のチャンバーと、
前記チャンバー内に回転可能に設けられたキャリア載置体と、
前記キャリア載置体に設けられた可動であるキャリア固定治具と、
前記チャンバー外であって、前記チャンバーに近接して設けられたイオナイザーと、
前記チャンバー上部の外側側面に接し、且つ前記イオナイザーを内包するように設けられたシースと、
前記チャンバーの側面の、前記チャンバーと前記シースが接する部分に形成された開口部と、を有し、
前記イオナイザーは前記開口部に対して前記キャリア載置体の回転方向と反対の位置に設けられていることを特徴とする洗浄乾燥装置。
【請求項５】
請求項１乃至請求項４のいずれか一項において、
前記チャンバー内に設けられた液体供給手段、または前記チャンバー内及び前記チャンバー外で且つ前記チャンバーに近接して設けられた液体供給手段を有することを特徴とする洗浄乾燥装置。
【請求項６】
請求項１乃至請求項５のいずれか一項において、
前記チャンバー内に設けられた気体供給手段、または前記チャンバー内及び前記チャンバー外で且つ前記チャンバーに近接して設けられた気体供給手段を有することを特徴とする洗浄乾燥装置。
【請求項７】
請求項１乃至請求項６のいずれか一項において、
前記チャンバー内に設けられた被処理物感知手段、または前記チャンバー内及び前記チャンバー外で且つ前記チャンバーに近接して設けられた被処理物感知手段を有することを特徴とする洗浄乾燥装置。
【請求項８】
請求項７において、
前記被処理物は半導体素子基板であることを特徴とする洗浄乾燥装置。
【請求項９】
イオナイザーを有する洗浄乾燥装置を用いた被処理物の洗浄乾燥方法において、
洗浄処理開始時から乾燥処理終了後の被処理物取り出し時まで前記イオナイザーを稼働させることを特徴とする洗浄乾燥方法。
【請求項１０】
イオナイザーを有する洗浄乾燥装置を用いた被処理物の洗浄乾燥方法において、
乾燥処理終了後の一定期間前記イオナイザーを稼働させ、前記イオナイザー稼働期間内に前記洗浄乾燥装置から前記被処理物を取り出すことを特徴とする洗浄乾燥方法。
【請求項１１】
イオナイザーを有する洗浄乾燥装置を用いた被処理物の洗浄乾燥方法において、
乾燥処理開始時から乾燥処理終了後の前記被処理物取り出し時まで前記イオナイザーを稼働させることを特徴とする洗浄乾燥方法。
【請求項１２】
イオナイザーを有する洗浄乾燥装置を用いた被処理物の洗浄乾燥方法において、
チャンバー内に設けられた被処理物感知手段によって前記被処理物を感知し、
前記被処理物を感知している期間中、前記イオナイザーを稼働させることを特徴とする洗浄乾燥方法。
【請求項１３】
イオナイザーを有する洗浄乾燥装置を用いた被処理物の洗浄乾燥方法において、
前記洗浄乾燥装置の扉に設けられたセンサーにより乾燥処理終了後の前記扉の開閉を認識し、乾燥処理終了後に前記扉が開閉するまで前記イオナイザーを稼働させる洗浄乾燥方法。
【請求項１４】
請求項９乃至請求項１３のいずれか一項において、
前記被処理物として半導体素子基板を処理する洗浄乾燥方法。
【発明の詳細な説明】
【技術分野】
【０００１】
本発明は洗浄乾燥装置および洗浄乾燥方法に関し、特に、半導体素子基板を洗浄乾燥するための装置に関する。
【背景技術】
【０００２】
半導体装置の製造においては、ウエットエッチング処理後やレジスト剥離処理後等に所定の洗浄処理工程および乾燥処理工程が必要である。
【０００３】
そこで、半導体装置製造工程の間で洗浄処理および乾燥処理するための装置が開発されている。例えば、特許文献１では洗浄液を半導体素子基板に供給することで基板表面に付着する異物等を取り除き、洗浄処理後には基板を回転し、且つ加熱させることで遠心力と加熱による洗浄液の蒸発によって基板を乾燥させる装置について開示されている。また、特許文献２では、洗浄処理終了後に基板を回転し、乾燥用ガスを吹き付けることで乾燥させる装置について開示されている。
【特許文献１】特開平０６−２１６１０４号公報
【特許文献２】特開２０００−９７５６４号公報
【発明の開示】
【発明が解決しようとする課題】
【０００４】
しかしながら、半導体素子基板を洗浄乾燥装置にて処理すると、洗浄時、乾燥時、並びに装置からの基板取り出し時等に起きる半導体素子基板の帯電、及び静電容量の変化による電位の上昇等により、回路の破壊、特性劣化などの静電気による不良が生じ、歩留まりも低下してしまっていた。例えば、回転式洗浄乾燥装置の場合は処理の際に基板を回転させている。そのため、洗浄処理時の洗浄液と基板との摩擦、乾燥処理時のチャンバー内の空気と基板との摩擦、また基板を搭載したキャリアをチャンバーから取り出す際のキャリアとキャリア固定治具との摩擦等により、半導体素子基板の帯電、及び静電容量変化による電位の上昇等に伴い不良が生じていた。
【０００５】
また、従来の洗浄乾燥装置は、イオナイザーを有していても液体等の付着を考慮した構成とはなっていなかった。そのため、イオナイザー稼働中に液体等が飛散して付着してしまうと、イオナイザーによっては漏電してしまっていた。したがって、乾燥処理開始後、一定期間乾燥処理し、イオナイザーに液体が付着しなくなってから一定期間のみイオナイザーを稼働するように、イオナイザーの稼働期間を調整していた。
【０００６】
本発明は、このような状況を鑑みてなされたものであり、半導体装置の製造工程で不良を生じさせない半導体製造装置を提供することを目的としている。特に、洗浄乾燥処理で被処理物（例えば、ガラス基板、半導体素子基板等）に影響を与えない洗浄乾燥装置を提供することを目的としている。
【課題を解決するための手段】
【０００７】
本発明の洗浄乾燥装置は、被処理物の洗浄乾燥処理を行う円柱状のチャンバーと、チャンバー内に回転可能に設けられたキャリア載置体と、キャリア載置体に設けられた被処理物を搭載する被処理物用キャリアの固定治具（以下、本明細書ではキャリア固定治具とする）と、チャンバー外にチャンバーに近接して設けられたイオナイザーと、チャンバーの外側側面に接し、且つイオナイザーを内包するように設けられたシースと、前記チャンバーの側面の、チャンバーとシースが接する部分に形成された開口部と、を有することを特徴とする装置である。
【０００８】
また、本発明の洗浄乾燥装置は、被処理物の洗浄乾燥処理を行う円柱状のチャンバーと、チャンバー内に一方向に回転可能に設けられたキャリア載置体と、キャリア載置体に設けられたキャリア固定治具と、チャンバー外にチャンバーに近接して設けられたイオナイザーと、チャンバーの上部の外側側面に接し、且つイオナイザーを内包するように設けられたシースと、前記チャンバーの側面の、チャンバーとシースが接する部分に形成された開口部と、を有し、イオナイザーが開口部に対してキャリア載置体の回転方向と反対の位置に設けられていることを特徴とする装置である。
【０００９】
本発明において、イオナイザーとは、イオンを発生し、静電気を除電することができるものであればよい。具体的には、コロナ放電式イオナイザー、軟Ｘ線イオナイザー等が挙げられる。
【００１０】
また、本発明において、チャンバー外部にチャンバーに近接して設けられるイオナイザーは１つでも２つ以上でもよい。ただし、設置可能な限り多数のイオナイザーを設けた方がより多くのイオンを発生させることができるので、除電能力は高まる。
【００１１】
また、本発明の洗浄乾燥装置は、チャンバー内に設けられた被処理物感知手段、またはチャンバー内及びチャンバー外部で且つチャンバーに近接して設けられた被処理物感知手段を有していてもよい。被処理物感知手段としては、チャンバー内に被処理物または被処理物用キャリアが存在していることを感知できるセンサー等を用いればよい。被処理物感知手段により、チャンバー内の被処理物の有無を認識できる。
【００１２】
また、上記被処理物感知手段のかわりに洗浄乾燥装置の扉に感知手段を設け、扉の開閉を認識させるようにしてもよい。例えば洗浄乾燥装置の扉にセンサーを設け、センサーで乾燥処理終了後の扉の開閉を感知し、被処理物の取り出し時を認識することができるようにすればよい。
【００１３】
また、本発明の洗浄乾燥装置は、チャンバー内に設けられた液体供給手段、またはチャンバー内及びチャンバー外部で且つチャンバーに近接して設けられた液体供給手段を１つまたは２つ以上有していてもよい。液体供給手段から供給する液体としては、洗浄液、純水、ＣＯ２を添加した純水等を用いればよい。
【００１４】
また、本発明の洗浄乾燥装置は、チャンバー内に設けられた気体供給手段、またはチャンバー内及びチャンバー外部で且つチャンバーに近接して設けられた気体供給手段を１つまたは２つ以上有していてもよい。気体供給手段から供給する気体としては窒素、乾燥空気等の不活性ガスを用いればよい。
【００１５】
さらに、本発明の洗浄乾燥装置は、気体供給手段より供給される気体をイオン化してチャンバー内に放出させてもよい。本発明における洗浄乾燥装置は、被処理物を回転による遠心力を用いて乾燥させるものであるが、気体供給手段より供給される気体やイオンを被処理物に吹き付け、乾燥させるためのパージガスとして補助的に用いても構わない。
【００１６】
さらに、本発明の構成は、イオナイザーを有する洗浄乾燥装置を用いた被処理物の洗浄乾燥方法において、乾燥処理終了後の一定期間内イオナイザーを稼働させることを特徴とする洗浄乾燥方法を提供する。
【００１７】
また、上記構成の発明において、乾燥処理終了後のイオナイザー稼働期間内に被処理物を取り出すことを特徴とする洗浄乾燥方法を提供する。
【００１８】
また、本発明の構成は、洗浄処理開始時から乾燥処理終了後の被処理物取り出し時までイオナイザーを稼働させることを特徴とする洗浄乾燥方法を提供する。
【００１９】
また、本発明の構成は、乾燥処理開始時から乾燥処理終了後の被処理物取り出し時までイオナイザーを稼働させることを特徴とする洗浄乾燥方法を提供する。
【００２０】
また、本発明の構成はチャンバー内に設けられた被処理物感知手段によってチャンバー内の被処理物の有無を感知し、被処理物感知手段によって被処理物の存在を感知している期間中、イオナイザーを稼働させることを特徴とする洗浄乾燥方法を提供する。
【００２１】
また、洗浄乾燥装置の扉に設けられた感知手段により乾燥処理終了後の扉の開閉を認識し、乾燥処理終了後に扉が開閉するまでイオナイザーを稼働させる洗浄乾燥方法を提供する。
【００２２】
上記洗浄乾燥方法を適用すれば、洗浄乾燥装置から被処理物を搭載した被処理物用キャリアを取り出す際にもイオナイザーを稼働させることができる。その結果、被処理物用キャリアとキャリア固定治具が摩擦することにより生じる静電気を除電し、且つ静電容量の変化による電位の上昇を抑制し、被処理物の静電気による特性劣化等を防ぐことができる。ただし、乾燥処理開始時から乾燥処理終了後の被処理物取り出し時までイオナイザーを稼働させる洗浄乾燥方法はイオナイザーへの水の付着による漏電等を考慮する必要がない。したがって、本発明の洗浄乾燥装置に限定されず、あらゆる洗浄乾燥装置に適用できる。
【発明の効果】
【００２３】
本発明では、イオナイザーによってイオンを発生し、発生させたイオンを開口部からチャンバー内に拡散することにより、チャンバー内の空気と被処理物の摩擦、接触等で生じた静電気等を中和し、且つ静電容量の変化による電位の上昇を抑制し、被処理物の静電気による特性劣化等を防ぐことができる。その際、被処理物の帯電を有効に防止するためには、生じた静電気（電荷）を中和するだけの十分なイオン数が必要となる。本発明では、イオナイザーがチャンバーに近接して設けられているため、イオンがチャンバー内に拡散されるまでの経路が短く、イオナイザーによって発生したイオンが途中で空気中のイオン等と中和してしまうのを抑えることができる。そのため除電能力が高く、効果的に被処理物の帯電を防止することができる。また、イオナイザーを円柱状チャンバーの外側に設けることによりチャンバーが大型化するのを抑制し、またチャンバー内の気流を乱すことなく除電することが可能となる。
【００２４】
また、本発明ではイオナイザーがシースに内包され覆われているため、イオナイザーに異物、液体等が付着するのを防止することができる。特にコロナ放電式イオナイザー等の電極を有するイオナイザーは、液体の付着により漏電してしまう恐れがあるため、本発明の液体等の付着を防止する構成は非常に効果的である。また、イオナイザーをチャンバーおよびシースが接する部分に形成された開口部に対して、キャリア載置体の回転方向と反対で、且つ開口部よりも上部の位置に設ける場合には、さらに液体の付着を防止することが可能となる。また、シースをキャリア載置体の回転軸より上側に設けることでシース内に液体が溜まることを防ぎ、シース内に設けられたイオナイザーに液体が付着するのを防止することができる。洗浄乾燥装置に本発明の構成を用いることで、イオナイザーが漏電するおそれが低くなり、洗浄処理中にもイオナイザーを稼働することができる。その結果、洗浄液と被処理物が接触することにより生じる静電気も除電することができる。以上より、被処理物の静電気を原因とする不良が低減し、半導体装置を歩留まり良く作製することができる。
【発明を実施するための最良の形態】
【００２５】
以下、本発明の実施の形態について図面を用いて詳細に説明する。ただし、本発明は以下の説明に限定されず、本発明の趣旨及びその範囲から逸脱することなくその形態及び詳細を様々に変更し得ることは当業者であれば容易に理解される。従って、本発明は以下に示す実施の形態の記述内容に限定して解釈されるものではない。なお、以下に説明する本発明の構成において、同じものを指す符号は異なる図面間で共通して用いる。
【００２６】
（実施の形態１）
本発明は半導体装置の製造工程において、所定の洗浄乾燥処理を行うための洗浄乾燥装置に関するものである。以下、図１を用いて、洗浄乾燥装置の具体的な説明を行う。
【００２７】
図１（Ａ）は、本発明の洗浄乾燥装置の正面図である。また、図１（Ｂ）は図１（Ａ）に示した洗浄乾燥装置の切断線Ａ−Ａ’における紙面に対して奥行き方向の断面図であり、図１（Ｃ）は図１（Ｂ）の斜視図である。
【００２８】
本発明の洗浄乾燥装置は、チャンバー１０１と、キャリア載置体１０２ａ、キャリア載置体１０２ｂと、キャリア固定治具１０３ａ、キャリア固定治具１０３ｂ、キャリア固定治具１０３ｃ、キャリア固定治具１０３ｄ、キャリア固定治具１０３ｅ、キャリア固定治具１０３ｆと、イオナイザー１０４と、シース１０５とで構成されている。被処理物の洗浄乾燥処理を行うチャンバー１０１は円柱状となっている。また、チャンバー１０１内部にはキャリア載置体１０２ａ、キャリア載置体１０２ｂが備えられている。キャリア載置体１０２ａ、１０２ｂは、円柱状のチャンバー１０１の平面（円柱状のチャンバーの上面又は底面）を介して回転軸１０６と連結しており、さらに回転軸１０６を通じてモーター等の回転手段１０７に接続されている。そして、キャリア載置体１０２ａ、１０２ｂは、回転軸１０６を中心に回転するようになっている。なお、キャリア載置体１０２ａ、１０２ｂは、洗浄乾燥処理中は一方向に回転するのが好ましい。本実施の形態では、洗浄乾燥処理中のキャリア載置体１０２ａ、１０２ｂは、図１（Ａ）に示す実線の矢印方向に、一方向に回転するものとする。
【００２９】
さらに、チャンバー１０１内に設けられたキャリア載置体１０２ａ、１０２ｂにはキャリア固定治具１０３ａ〜１０３ｆが設けられている。チャンバー１０１内のキャリア載置体１０２ａ、１０２ｂの回転に伴い、キャリア固定治具１０３ａ〜１０３ｆに保持された被処理物を搭載した被処理物用キャリアが回転し、遠心力によって乾燥される。キャリア固定治具１０３ａ〜１０３ｆとしては、被処理物を搭載した被処理物用キャリアがキャリア載置体１０２ａ、１０２ｂに保持される手段であればよい。本実施の形態では、キャリア載置体１０２ａ、１０２ｂに設けられた６つのキャリア固定治具１０３ａ〜１０３ｆにより被処理物を搭載した被処理物用キャリアを保持する。
【００３０】
また、キャリア固定治具１０３ａ〜１０３ｆは可動式でも良い。例えば、図１において、キャリア固定治具１０３ａ〜１０３ｄを可動式とし、洗浄乾燥処理終了後、キャリア固定治具１０３ｃが左方向に、キャリア固定治具１０３ｄが右方向に、キャリア固定治具１０３ａとキャリア固定治具１０３ｂが上方向に可動するものとする。そして、キャリア固定治具１０３ａ〜１０３ｄを可動し、被処理物用キャリアをキャリア固定治具１０３ｅ、１０３ｆのみで保持された状態とする。その結果、洗浄乾燥装置から被処理物用キャリアを取り出す際の被処理物を搭載した被処理物用キャリアとキャリア固定治具１０３ａ〜１０３ｄとの摩擦による基板の帯電、静電容量の変化による電位の上昇等を抑制することができる。本実施の形態では、キャリア載置体１０２ａ、１０２ｂに６つ設けられたキャリア固定治具１０３ａ〜１０３ｆのうち４つを可動式としているが、これに限らず４つ以下、または４つ以上を可動式としても良い。また、キャリア固定治具１０３ａ〜１０３ｆは被処理物を搭載した被処理物用キャリアがキャリア載置体１０２ａ、１０２ｂに固定できる手段であればよいので、キャリア固定治具を６つ以下、または６つ以上設ける構成としても良い。
【００３１】
さらに、チャンバー１０１外部にチャンバー１０１に近接してイオナイザー１０４が設けられている。イオナイザー１０４とチャンバー１０１との距離は、イオナイザー１０４によるチャンバー１０１内の除電能力が保たれる程度にイオンが拡散できる距離であればよい。ただし、イオナイザー１０４とチャンバー１０１との距離が大きくなるほどイオナイザー１０４で発生させたイオンが途中で空気中のイオン等により中和され、除電能力が低下する。したがって、イオナイザー１０４は、可能な限りチャンバー１０１に近接して設けた方がよい。本実施の形態では、イオナイザー１０４をチャンバー１０１に設けられた開口部１０８に対して、図１（Ａ）中の矢印で示したキャリア載置体１０２ａ、１０２ｂの回転方向と反対の位置に４つ設けている。すなわち、キャリア載置体１０２ａ、１０２ｂの回転方向を右回り（図１（Ａ）中の矢印の向き）とした場合、開口部１０８を中心に見て、開口部１０８よりも左側にイオナイザーを設ける構造としている。なお、イオナイザーの個数は４つ以下、または４つ以上設けても構わない。
【００３２】
さらに、チャンバー１０１の外側側面に一部が接し、且つイオナイザー１０４を内包するようにシース１０５が設けられている。本実施の形態では、シース１０５はチャンバー１０１の回転軸１０６より上部の、チャンバー１０１の外側側面に接するように設けられている。チャンバー１０１とシース１０５が接する部分には開口部１０８が形成され、シース１０５内のイオナイザー１０４で発生させたイオンは開口部１０８を通してチャンバー１０１内に拡散される。本発明でシース１０５とは鞘の意を表し、イオナイザー１０４を異物や液体等から保護するカバー的な役割を果たすものである。シースは、具体的にはガラス、金属、ポリプロピレン、ポリエチレン、ポリテトラフルオロエチレンの絶縁性樹脂等で形成すればよい。
【００３３】
本実施の形態のように、イオナイザー１０４をシース１０５内に設けることで、洗浄乾燥処理中にイオナイザー１０４に異物や液体が付着することを防止することができる。その結果、イオナイザー１０４に異物や液体が付着することによる漏電、除電能力の低下等の恐れがなくなる。漏電の恐れがなくなることで、乾燥処理中のみならず洗浄処理中にもイオナイザー１０４を稼働することができ、被処理物の帯電を防止するのに非常に効果的である。
【００３４】
また、イオナイザー１０４およびシース１０５はチャンバー１０１の外側に設けられるため、チャンバーを大型化する必要が無い。さらにチャンバー内の気流を乱すこともないため、効率よく除電して被処理物の帯電を防止することができる。
【００３５】
（実施の形態２）
本実施の形態では、実施の形態１とはイオナイザーとシースを設けた位置が異なる洗浄乾燥装置を、図２（Ａ）、（Ｂ）を用いて説明する。
【００３６】
図２（Ａ）は、図１（Ａ）〜（Ｃ）で示したものよりさらに液体が付着しにくい位置にイオナイザー２０４を設けた。図１では除電効率を考慮し、よりイオンがチャンバー内に拡散されやすい位置にイオナイザー１０４を設けた構成を説明したが、図２では液体の付着を防ぎ、漏電を防止することを考慮した構成とした。具体的には、電極を有するイオナイザーの場合において、電極が開口部２０８に対してキャリア載置体の回転方向と反対の位置にくるようにイオナイザー２０４を設けた。
【００３７】
図２（Ｂ）は、シース２０５の一部が開口部２０８よりも下部に位置するように、シース２０５を設けた。この場合、イオナイザー２０４を液体が付着しないように開口部より２０８よりも上部に位置し、且つ開口部２０８に対してキャリア載置体の回転方向と反対の位置にくるように設けた。図２（Ｂ）のように、シース２０５の一部を開口部２０８よりも下部に位置するようにすることで、シース２０５内に液体が飛散した場合にも排液できるようにした。
【００３８】
（実施の形態３）
本実施の形態では、実施の形態１、２において、イオナイザーとして軟Ｘ線イオナイザーを用いた場合について、図３を用いて説明する。
【００３９】
軟Ｘ線イオナイザーを用いる場合、軟Ｘ線により周囲や作業者が被爆しないようにする必要がある。本実施の形態では、シース３０５とチャンバーの接する部分に形成された開口部３０８に、図３（Ａ）〜（Ｆ）のように遮蔽板３３０、３３０ａ、３３０ｂを設ける構成とした。遮蔽板３３０としては軟Ｘ線を遮蔽することができるものであればよく、具体的にはポリ塩化ビニルやアルミニウム等で形成すればよい。
【００４０】
図３（Ａ）には、実施の形態１のイオナイザーに、軟Ｘ線イオナイザーを適用した場合を示す。図３において、破線の矢印は軟Ｘ線イオナイザーの軟Ｘ線照射方向を示す。開口部３０８に遮蔽板３３０ａ、３３０ｂを段違いに設けることにより、軟Ｘ線イオナイザー３０４より発生したイオンは遮蔽板３３０ａ、３３０ｂに覆われていない部分の開口部３０８を通過してチャンバー内に拡散する。また、軟Ｘ線は遮蔽板３３０ａ、３３０ｂによって遮蔽することができる。
【００４１】
次に、図３（Ｂ）、（Ｃ）は、図３（Ａ）と異なる角度で軟Ｘ線が照射されるように軟Ｘ線イオナイザー３０４を設けた場合を示す。図３（Ｂ）は、図３（Ａ）と同様に開口部３０８に遮蔽板３３０ａ、遮蔽板３３０ｂを段違いに設けている。軟Ｘ線イオナイザー３０４より発生したイオンは遮蔽板３３０ａ、３３０ｂに覆われていない部分の開口部３０８を通過してチャンバー内に拡散し、軟Ｘ線は遮蔽板３３０ａ、３３０ｂによって遮蔽される。
【００４２】
図３（Ｃ）は、開口部３０８を完全に覆ってしまわないように遮蔽板３３０を設けている。軟Ｘ線イオナイザー３０４より発生したイオンは、遮蔽板３３０に覆われていない部分の開口部３０８を通過してチャンバー内に拡散し、軟Ｘ線は遮蔽板３３０によって遮蔽される。効率よく軟Ｘ線イオナイザーより発生したイオンをチャンバー内に拡散させるために、軟Ｘ線が漏洩しない限り、開口部３０８の面積は大きくした方がよい。
【００４３】
図３（Ｄ）〜（Ｆ）は、図２（Ａ）のイオナイザーに軟Ｘ線イオナイザーを適用した場合を示す。なお、軟Ｘ線イオナイザー３０４と開口部３０８、並びに遮蔽板３３０、３３０ａ、３３０ｂの関係は、図３（Ａ）〜（Ｄ）と同様である。
【００４４】
本実施の形態では開口部３０８に軟Ｘ線を遮蔽する遮蔽板３３０、３３０ａ、３３０ｂを設けた構成について説明した。なお、本発明はこれに限らず軟Ｘ線が周囲に漏洩せず、作業者に照射されない構造とすればよい。
【００４５】
（実施の形態４）
本実施の形態では、実施の形態１乃至３の構成に加え、液体供給手段４１０、気体供給手段４１１、被処理物感知手段４１２を設けた構成について、図４（Ａ）〜（Ｃ）、並びに図５を用いて説明する。
【００４６】
チャンバー１０１内またはチャンバー１０１に近接して、チャンバー１０１内に液体を供給する液体供給手段を設ける。本実施の形態では、チャンバー１０１の内壁の右上部にノズルを設け、液体供給手段４１０からノズルを通してチャンバー１０１内に液体を供給する構成とした。供給される液体としては、洗浄液、純水等を用いればよい。液体供給手段４１０から供給される液体を被処理物に吹き付けることで、被処理物表面に付着した異物等を洗浄、除去することができる。なお、液体供給手段４１０を設ける位置については特に限定されず、チャンバー１０１に液体が供給できるように設けられていればよい。
【００４７】
また、洗浄処理時に純水を用いる場合にはＣＯ２を添加して低抵抗化してもよい。純水を用いて洗浄処理を行う場合には純水が高抵抗であるため、被処理物と純水との摩擦による被処理物の帯電がより大きくなる恐れがある。したがって、洗浄処理中に本発明のイオナイザー１０４を稼働させ、且つ純水にＣＯ２を添加して低抵抗化した洗浄液を用いることで、より被処理物の帯電を防止することができる。
【００４８】
また、チャンバー１０１に液体を排出するための液体排出手段を設ける。液体排出手段はチャンバー１０１内の液体を外部に排出できる手段であればよい。本実施の形態では、チャンバー１０１の下部に排出手段４１３として排出口を設け、液体をチャンバー１０１外に排出する構成とした。なお、排出手段４１３を設ける位置については特に限定されず、液体がチャンバー１０１外に排出できるように設けられていればよい。
【００４９】
次に、チャンバー１０１内またはチャンバー１０１に近接して、チャンバー１０１内に気体を供給する気体供給手段を設ける。本実施の形態では、チャンバー１０１の内壁の左上部にノズルを設け、気体供給手段４１１からノズルを通してチャンバー１０１内に気体を供給する構成とした。供給される気体としては窒素、乾燥空気等を用いればよい。本発明における洗浄乾燥装置は回転による遠心力を用いて被処理物を乾燥させているが、気体供給手段４１１より供給される気体を被処理物に吹き付けることで、乾燥処理に補助的な役割を持たしてもよい。なお、気体供給手段４１１を設ける位置については特に限定されず、チャンバー１０１に気体が供給できるように設けられていればよい。
【００５０】
また、気体をシース１０５を通して供給するように気体供給手段を設けてもよい。気体供給手段より供給された気体が、イオナイザー１０４でイオン化されてチャンバー１０１内に放出されるため、より効果的に除電することができる。
【００５１】
また、チャンバー１０１内またはチャンバー１０１に近接して被処理物感知手段を設ける。本実施の形態では、チャンバー１０１の内壁の左中央部に被処理物感知手段４１２を設ける構成とした。被処理物感知手段４１２としては、チャンバー１０１内の被処理物の有無を感知できる手段であればよく、具体的には光センサーや重量センサー等が挙げられる。本実施の形態のように被処理物感知手段４１２を設けることで、チャンバー１０１内の被処理物の有無を感知することができる。したがって、被処理物感知手段４１２がチャンバー１０１内に被処理物が存在すると感知している期間中イオナイザー１０４を稼働させ、除電することができる。重量センサーはキャリア固定治具等に設ける事が出来る。本発明では、被処理物感知手段４１２により被処理物の有無を感知することで被処理物取り出し時までイオナイザー１０４を稼働させることができる。その結果、被処理物用キャリアとキャリア固定治具１０３ａ〜１０３ｆが摩擦することにより生じる静電気も除電することができる。なお、被処理物感知手段４１２を設ける位置については特に限定されず、チャンバー１０１内の被処理物の有無を感知できるように設けられていればよい。
【００５２】
また、被処理物感知手段４１２の代わりに、洗浄乾燥装置から被処理物を出し入れする扉５２０にセンサー５２１を設け、扉５２０の開閉にイオナイザー１０４の稼働を連動させる構成を図５に示す。この場合は、乾燥処理が終了してから扉５２０を開き、被処理物を搭載した被処理物用キャリアを取り出し、再び扉５２０を閉めるまでを認識する。したがって、扉５２０の開閉に連動させてイオナイザー１０４を稼働させることができる。その結果、被処理物取り出し時に被処理物用キャリアとキャリア固定治具１０３ａ〜１０３ｆが摩擦することにより生じる静電気を除電することができ、被処理物の帯電を防止することができる。
【００５３】
本実施の形態では、液体供給手段４１０、気体供給手段４１１、被処理物感知手段４１２の３つの手段全てを設けた構成について説明した。なお、本発明はこれに限らず、いずれか１つの手段または２つの手段を設ける構成としても構わない。また、本実施の形態では液体供給手段４１０、気体供給手段４１１、被処理物感知手段４１２を１つずつ設けた構成について説明したが、それぞれ複数設ける構成としても良い。
【００５４】
また、上記実施の形態１乃至４においては洗浄処理および乾燥処理を行う洗浄乾燥装置について説明した。なお、本発明は上記構成に限らず、洗浄処理のみ行う洗浄装置、乾燥処理のみ行う乾燥装置にも適用することができる。
【００５５】
（実施の形態５）
本実施の形態では、被処理物としてガラス基板を洗浄乾燥処理した場合の被処理物の表面電位を測定した例について説明する。表１には、イオナイザーを乾燥処理終了時まで稼働させた場合と、イオナイザーを乾燥処理終了後一定期間稼働させ、イオナイザーの稼働期間内にガラス基板を搭載した被処理物用キャリアを取り出した場合のガラス基板の表面電位を測定し、比較した結果を示す。なお、本実施の形態では、上記実施の形態１乃至４で説明した洗浄乾燥装置とは異なり、イオナイザーがシースに内包されていない、イオナイザーを有する洗浄乾燥装置を用いた。すなわち、乾燥処理開始後、イオナイザーに液体が付着しなくなってから一定期間のみイオナイザーが稼働するように調整された洗浄乾燥装置を用いた。
【００５６】
【表１】
2006287214.tif 000003
【００５７】
基板Ａは、洗浄乾燥装置を用いた所定の洗浄乾燥処理において、イオナイザーを乾燥処理開始から乾燥処理終了まで稼働させ、処理終了後ガラス基板を搭載した被処理物用キャリアを装置から取り出した。一方、基板Ｂはイオナイザーを乾燥処理開始から乾燥処理終了後一定期間稼働させ、イオナイザーの稼働期間内にガラス基板を搭載した被処理物用キャリアを装置から取り出した。表１には、基板Ａおよび基板Ｂを被処理物用キャリアに搭載し、洗浄乾燥装置にセットした時、乾燥終了時、洗浄乾燥装置から取り出した後に、それぞれの基板の表面電位を測定した結果を示す。
【００５８】
表１より、基板Ａ、基板Ｂの装置セット時、乾燥処理終了時の基板の表面電位にはあまり差がないが、装置から取り出した後では基板Ａのみ電位が急激に上昇していることがわかる。
【００５９】
ここで、電位と、面積と、距離の関係について以下に述べる。なお、Ｖを電位、Ｃを静電容量、Ｑを電荷、εを誘電率、ε０を真空の誘電率、Ｓを面積、ｄを距離とする。
【００６０】
【数１】
2006287214.tif 000004
【００６１】
【数２】
2006287214.tif 000005
【００６２】
上記数式（１）、（２）より、次式が成り立つ。
【００６３】
【数３】
2006287214.tif 000006
【００６４】
上記数式（１）〜（３）より、ガラス基板の表面が有している電荷をＱ、ガラス基板の実行的な面積をＳ、ガラス基板を搭載した被処理物用キャリアとキャリア固定治具との実行的な距離をｄとすると、基板取り出し時にはｄが大きくなるので、基板の電位Ｖも大きくなる。なお、電位が大きくなると、静電気放電が発生して半導体素子等が破壊される事故が起こる。
【００６５】
本発明は、イオナイザー稼働期間内に基板を取り出すことによって、被処理物（基板）を搭載した被処理物用キャリアとキャリア固定治具との摩擦による基板の帯電、静電容量の変化による電位の上昇等を抑制し、被処理物の特性劣化等を防止することができる。ゆえに、基板取り出し時のイオナイザーの稼働が非常に効果的であることがわかる。
【図面の簡単な説明】
【００６６】
【図１】本発明の洗浄乾燥装置について説明する図。
【図２】本発明の洗浄乾燥装置について説明する図。
【図３】軟Ｘ線イオナイザーについて説明する図。
【図４】本発明の洗浄乾燥装置について説明する図。
【図５】本発明の洗浄乾燥装置について説明する図。
【符号の説明】
【００６７】
１０１  チャンバー
１０２ａ  キャリア載置体
１０２ｂ  キャリア載置体
１０３ａ  キャリア固定治具
１０３ｂ  キャリア固定治具
１０３ｃ  キャリア固定治具
１０３ｄ  キャリア固定治具
１０３ｅ  キャリア固定治具
１０３ｆ  キャリア固定治具
１０４  イオナイザー
１０５  シース
１０６  回転軸
１０７  回転手段
１０８  開口部
【図１】
2006287214.tif 000007
【図２】
2006287214.tif 000008
【図３】
2006287214.tif 000009
【図４】
2006287214.tif 000010
【図５】
2006287214.tif 000011